(57)【要約】【課題】  携帯端末による通信を他の携帯端末により抑止することができる携帯端末システムを提供する。【解決手段】  本携帯端末システムは、複数の携帯端末１０１，１０２と、複数の携帯端末をグループ化し、同じグループ中の１つまたは複数の携帯端末を親機１０１とし、残りの１つまたは複数の携帯端末を子機１０２として登録したグループデータベース１０６とを備える。そして、グループデータベース１０６に基づいて、親機１０１が同じグループ内の子機１０２の着呼および／または発呼の制御を行う。また、グループデータベース１０６には、親機１０１が子機１０２に対して、着呼および／または発呼要求を自動的に許可あるいは拒否する相手先を設定することができる。【選択図】      図１
2004357271.tif 000002
【特許請求の範囲】
【請求項１】
複数の携帯端末と、前記複数の携帯端末をグループ化し、同じグループ中の１つまたは複数の携帯端末を親機とし、残りの１つまたは複数の携帯端末を子機として登録したグループデータベースとを備え、前記グループデータベースに基づいて、前記親機が同じグループ内の子機の着呼および／または発呼の制御を行うことができるようにしたことを特徴とする携帯端末システム。
【請求項２】
前記グループデータベースが、回線網に接続された交換局、無線制御局および基地局のうちの少なくとも１つに設けられていることを特徴とする請求項１記載の携帯端末システム。
【請求項３】
子機において着呼または発呼要求が発せられると、前記グループデータベースに基づいて、同じグループ内の親機に対して前記子機の着呼または発呼の許可確認メッセージが発せられ、前記親機が前記子機の着呼または発呼要求に対する許可または否認の応答メッセージを返すことができることを特徴とする請求項１または２記載の携帯端末システム。
【請求項４】
前記グループデータベースが、前記子機の電話番号、前記子機との接続が許可または拒否される相手先電話番号または電子メールアドレス、前記接続が許可または拒否される条件を定めるフィルタリング条件、および、前記子機の発着信のモードを設定する転送モードを有するテーブルを含むことを特徴とする請求項１または２記載の携帯端末システム。
【請求項５】
前記フィルタリング条件が、前記接続が許可または拒否される時間帯であることを特徴とする請求項４記載の携帯端末システム。
【請求項６】
前記転送モードが、前記子機の発着信の許可もしくは拒否または前記親機への転送確認要の各モードを含むことを特徴とする請求項４または５記載の携帯端末システム。
【請求項７】
前記転送モードが前記親機への転送確認要のモードである場合、子機において着呼または発呼要求が発せられると、同じグループ内の親機に対して前記子機の着呼または発呼の許可確認メッセージが発せられ、前記親機が前記子機の着呼または発呼要求に対する許可または否認の応答メッセージを返すことを特徴とする請求項４〜６のいずれかに記載の携帯端末システム。
【請求項８】
前記親機による前記子機の着呼または発呼要求に対する許可または否認の結果が前記グループデータベースに格納されることを特徴とする請求項４〜６のいずれかに記載の携帯端末システム。
【請求項９】
複数の携帯端末をグループ化し、同じグループ中の１つまたは複数の携帯端末を親機とし、残りの１つまたは複数の携帯端末を子機として登録したグループデータベースを備え、前記グループデータベースに基づいて、前記親機が同じグループ内の子機の着呼および／または発呼の制御を行うことができるようにしたことを特徴とする交換局。
【請求項１０】
前記グループデータベースが、予め、前記親機の通信不可時に、前記子機の着呼および／または発呼を許可または拒否する設定を含むことを特徴とする請求項９記載の交換局。
【請求項１１】
前記グループデータベースが、前記子機の電話番号、前記子機との接続が許可または拒否される相手先電話番号または電子メールアドレス、前記接続が許可または拒否される条件を定めるフィルタリング条件、および、前記子機の発着信のモードを設定する転送モードを有するテーブルを含むことを特徴とする請求項９または１０記載の交換局。
【請求項１２】
複数の携帯端末をグループ化し、同じグループ中の１つまたは複数の携帯端末を親機とし、残りの１つまたは複数の携帯端末を子機として登録したグループデータベースを備えた携帯端末システムに用いられる親機としての携帯端末であって、子機の着呼または発呼要求に対する許可または否認を表示画面上で操作することができることを特徴とする携帯端末。
【請求項１３】
複数の携帯端末をグループ化し、同じグループ中の１つまたは複数の携帯端末を親機とし、残りの１つまたは複数の携帯端末を子機として登録したグループデータベースに基づいて、コンピュータに、子機の着呼または発呼要求時に、同じグループ内の親機に対して前記子機の着呼または発呼の許可確認メッセージを送信させる機能、および、前記親機からの応答メッセージに従って前記子機と相手機とのコネクションを確立または切断させる機能を実現させるための携帯端末制御プログラム。
【請求項１４】
請求項１３記載の携帯端末制御プログラムを記録したコンピュータ読み取り可能な記録媒体。
【請求項１５】
複数の携帯端末をグループ化し、同じグループ中の１つまたは複数の携帯端末を親機とし、残りの１つまたは複数の携帯端末を子機として登録し、かつ、前記子機の電話番号、前記子機との接続が許可または拒否される相手先電話番号または電子メールアドレス、前記接続が許可または拒否される条件を定めるフィルタリング条件、および、前記子機の発着信のモードを設定する転送モードを有するテーブルを含むグループデータベースに基づいて、コンピュータに、子機の着呼または発呼要求時に、前記子機の発着信を許可する機能、または、前記子機の発着信を拒否する機能、または、同じグループ内の親機に対して前記子機の着呼または発呼の許可確認メッセージを送信し、前記親機からの応答メッセージに従って前記子機と相手機とのコネクションを確立または切断する機能を実現させるための携帯端末制御プログラム。
【請求項１６】
請求項１５記載の携帯端末制御プログラムを記録したコンピュータ読み取り可能な記録媒体。
【発明の詳細な説明】
【技術分野】
【０００１】
本発明は、携帯電話等の携帯端末を制御することができる携帯端末システムに関するものである。
【背景技術】
【０００２】
この種の携帯端末システムは、携帯電話等の携帯端末、基地局、無線制御局、交換局、回線網などを含んで構成される。ここで、携帯端末とは、携帯電話の他、例えば無線電話機能を持った携帯情報端末（ＰＤＡ）やノートパソコン等のパーソナルコンピュータなどを含むものである。以下、携帯端末として携帯電話を例にとって説明する。
【０００３】
近時、携帯電話の急速な発達（高性能、低価格化）により、会社業務での利用だけでなく、一般家庭にも携帯電話が普及している。このため、自己支払能力のない子供の携帯電話（親が料金を負担する）の乱用、あるいは携帯電話の使用先に対して分別のつかない子供の風紀上好ましくない相手への電話などが問題となっている。また、会社業務での利用では、特定の相手にだけ携帯電話への連絡を許可し、かつこの特定の相手先を随時変更可能にしたいというニーズがある。これらの課題に対して、現状では、プリペイド式携帯電話とすること、電話会社により一定金額の使用上限設定を行うこと、あるいは、特定の電話番号だけ接続を抑止（または許可）することなど、各種の機能を携帯電話に付加して、特定金額に対する制限、あるいは特定電話番号に対する抑止（または許可）を行うことが可能である。
【０００４】
例えば、携帯電話使用金額の上限を管理する方法として、特許文献１には、複数の移動機にまとめて利用可能な接続度数を設定し管理する方法が記載されている。この方法は、複数の移動機が属するグループごとに、そのグループに属する移動機が通信可能な接続度数と移動機の番号とを対応させて格納手段に格納し、これにより複数の移動機に対して通信可能な接続度数を一括して設定するというものである。
【特許文献１】特開２００３−０１８３３３号公報
【発明の開示】
【発明が解決しようとする課題】
【０００５】
上述のように、従来の携帯電話では、使用の上限金額や特定相手の接続抑止（または許可）などを、携帯電話契約時あるいは任意の時点において設定することができる。しかしながら、従来、子供の携帯電話の乱用、あるいは分別のつかない子供の風紀上好ましくない相手への電話を例えば親が抑止し、また安全な相手には自動的に電話を接続できるようにすることについて配慮がされておらず、操作性の面で充分とはいえなかった。
【０００６】
従って本発明の目的は、携帯端末による通信を他の携帯端末により抑止することができる携帯端末システムを提供することにある。また本発明の他の目的は、接続して問題無いことが明らかな相手に対しては、途中に操作や時間のかかかる処理を挟むことなく自動的に接続することができる携帯端末システムを提供することにある。
【課題を解決するための手段】
【０００７】
上記目的は、複数の携帯端末と、前記複数の携帯端末をグループ化し、同じグループ中の１つまたは複数の携帯端末を親機とし、残りの１つまたは複数の携帯端末を子機として登録したグループデータベースとを備え、前記グループデータベースに基づいて、前記親機が同じグループ内の子機の着呼および／または発呼の制御を行うことができるようにした携帯端末システムにより、達成される。
【０００８】
ここで、親機とは子機の着呼および／または発呼を制限する権限を持つ携帯端末をいい、子機とはその制限を受ける携帯端末をいう。また、前記グループデータベースは、回線網に接続された交換局、無線制御局および基地局のうちの少なくとも１つに設けることができる。本システムは、子機において着呼または発呼要求が発せられると、前記グループデータベースに基づいて、同じグループ内の親機に対して前記子機の着呼または発呼の許可確認メッセージが発せられ、前記親機が前記子機の着呼または発呼に対する許可または否認の応答メッセージを返すことができる。
【０００９】
また、前記グループデータベースは、前記子機の電話番号、前記子機との接続が許可または拒否される相手先電話番号または電子メールアドレス、前記接続が許可または拒否される条件を定めるフィルタリング条件、および、前記子機の発着信のモードを設定する転送モードを有するテーブルを含むことができる。前記フィルタリング条件は、例えば、前記接続が許可または拒否される時間帯とすることができる。前記転送モードは、前記子機の発着信の許可もしくは拒否または前記親機への転送確認要の各モードを含むことができる。前記転送モードが前記親機への転送確認要のモードである場合、子機において着呼または発呼要求が発せられると、同じグループ内の親機に対して前記子機の着呼または発呼の許可確認メッセージが発せられ、前記親機が前記子機の着呼または発呼要求に対する許可または否認の応答メッセージを返すことができる。前記親機による前記子機の着呼または発呼要求に対する許可または否認の結果は前記グループデータベースに格納することができる。
【００１０】
本発明に係る交換局は、複数の携帯端末をグループ化し、同じグループ中の１つまたは複数の携帯端末を親機とし、残りの１つまたは複数の携帯端末を子機として登録したグループデータベースを備え、前記グループデータベースに基づいて、前記親機が同じグループ内の子機の着呼および／または発呼の制御を行うことができるようにしたものである。前記グループデータベースは、予め、前記親機の通信不可時に、前記子機の着呼および／または発呼を許可または拒否する設定を含むことができる。前記グループデータベースは、前記子機の電話番号、前記子機との接続が許可または拒否される相手先電話番号または電子メールアドレス、前記接続が許可または拒否される条件を定めるフィルタリング条件、および、前記子機の発着信のモードを設定する転送モードを有するテーブルを含むことができる。
【００１１】
本発明に係る携帯端末は、複数の携帯端末をグループ化し、同じグループ中の１つまたは複数の携帯端末を親機とし、残りの１つまたは複数の携帯端末を子機として登録したグループデータベースを備えた携帯端末システムに用いられる親機としての携帯端末であって、子機の着呼または発呼要求に対する許可または否認を表示画面上で操作することができるものである。
【００１２】
本発明に係る携帯端末制御プログラムは、複数の携帯端末をグループ化し、同じグループ中の１つまたは複数の携帯端末を親機とし、残りの１つまたは複数の携帯端末を子機として登録したグループデータベースに基づいて、コンピュータに、子機の着呼または発呼要求時に、同じグループ内の親機に対して前記子機の着呼または発呼の許可確認メッセージを送信させる機能、および、前記親機からの応答メッセージに従って前記子機と相手機とのコネクションを確立または切断させる機能を実現させるためのものである。また、本発明に係るコンピュータ読み取り可能な記録媒体は、このような携帯端末制御プログラムを記録したものである。
【００１３】
また、本発明に係る携帯端末制御プログラムは、複数の携帯端末をグループ化し、同じグループ中の１つまたは複数の携帯端末を親機とし、残りの１つまたは複数の携帯端末を子機として登録し、かつ、前記子機の電話番号、前記子機との接続が許可または拒否される相手先電話番号または電子メールアドレス、前記接続が許可または拒否される条件を定めるフィルタリング条件、および、前記子機の発着信のモードを設定する転送モードを有するテーブルを含むグループデータベースに基づいて、コンピュータに、子機の着呼または発呼要求時に、前記子機の発着信を許可する機能、または、前記子機の発着信を拒否する機能、または、同じグループ内の親機に対して前記子機の着呼または発呼の許可確認メッセージを送信し、前記親機からの応答メッセージに従って前記子機と相手機とのコネクションを確立または切断する機能を実現させるためのものである。また、本発明に係るコンピュータ読み取り可能な記録媒体は、このような携帯端末制御プログラムを記録したものである。
【発明の効果】
【００１４】
本発明によれば、携帯端末による通信を他の携帯端末により抑止すること、および、接続して問題無いことが明らかな相手に対しては、途中に操作や時間のかかかる処理を挟むことなく自動的に接続することができる携帯端末システムを得ることができる。
【発明を実施するための最良の形態】
【００１５】
以下、本発明の実施形態について図面を参照しながら説明する。本実施形態では携帯端末として携帯電話を例にとって説明するが、本発明はこれに限定されることはなく、携帯端末一般に適用できるものであり、電話による通話だけでなく電子メール等による通信も含むものである。
【００１６】
図１は、本発明に係る携帯端末システムの実施形態の一例を示す図である。図示のように、携帯電話（親機）１０１、携帯電話（子機）１０２、および携帯電話（相手機）１０３は、それぞれ対応する基地局１０４と無線接続可能とされている。基地局１０４は、基地局を制御する無線制御局１０５と接続されている。無線制御局は複数設けられており、これらは交換局（交換機）１０９に接続されている。交換局１０９は回線網１０７に接続される。回線網１０７には、一般加入電話（相手機）１０８が接続されている。
【００１７】
このような構成により、各携帯電話および加入電話間で相互に通信が可能となる。例えば、親機１０１は、基地局１０４、無線制御局１０５、交換局１０９、および回線網１０７を介して加入電話１０８と通信することができる。また、例えば、子機１０２は、基地局１０４および無線制御局１０５を介して携帯電話１０３と通信することができる。しかし、本携帯端末システムでは、さらに携帯電話のグループを管理するグループデータベース１０６が、例えば交換局１０９に設けられている。
【００１８】
図２は、グループデータベースのテーブル構造の一例として電話番号テーブルを示す図である。電話番号の欄２０１には、加入携帯電話の電話番号が格納され、親／子フラグの欄２０２には、該当レコードの携帯電話が親機であるか、子機であるかを示す親または子フラグが格納され、親機電話番号の欄２０３には、該当レコードの携帯電話が子機である場合に、そのグループの親機電話番号が格納され、グループ名の欄２０４には、該当レコードの携帯電話のグループ名Ａ，Ｂ，Ｃ・・・が格納され、通信不可時の設定の欄２０５には、該当レコードの携帯電話が子機である場合に、予め親機の通信不可時に子機の通信を許可または拒否するための通信許可／拒否の設定が格納される。
【００１９】
このテーブルは、電話番号の欄２０１に格納された電話番号でソートするなどして、電話番号を索引として容易に該当レコードを抽出可能な構造とされる。本例では、例えばグループＡにおいて、電話番号１２３−００００−１１１１が親機であり、電話番号１２３−００００−３３３３と電話番号１２３−００００−３３３４が子機である。
【００２０】
また、本テーブル例では、グループ内の親機は、一個を想定しているが、複数個設けることもできる。この場合、一つの親機が話し中、電源オフ、または通話圏外等の場合を想定し、グループデータベース内に親機の優先順位を設定したテーブルを用意して、優先度の高い順から、順次許可を求める方式も容易に適用可能である。
【００２１】
さらに、通信不可時の設定の欄２０５において、全ての親機または特定の親機が接続できない場合を想定し、その親機に接続できない場合は子機への（からの）接続要求を許可する、または許可しない、という指定を行うことができる。これは、例えば、通信不可時の設定の欄２０５の設定が通信許可である場合は、該当する子機はスルー状態で相手機との通信が許可され、一方、通信不可時の設定が通信拒否である場合は、該当する子機はあきらめ状態で相手機との通信が拒否される。
【００２２】
図３（ａ）〜（ｅ）は、携帯電話の表示部における表示例をそれぞれ示す図である。図３（ａ）は子機発呼要求時の子機表示画面で、子機が相手機に発呼した際、親機が許可判定を行っている状態を示す画面である。同図（ｂ）は子機発呼要求時の親機表示画面で、子機が相手機に発呼した際、親機が子機の接続を許可するかどうか決定する画面（子機−＞相手）である。この画面内の許可／不可ボタンは、携帯電話に具備されたメニューボタン、または番号ボタンなどと連動して操作可能である。同図（ｃ）は相手から子機への着呼要求時の相手機表示画面で、相手機が子機に着呼要求した際、親機が許可判定を行っている状態を示す画面である。同図（ｄ）は相手から子機への着呼要求時の親機表示画面で、相手機が子機に着呼要求した際、親機が子機への接続を許可するかどうか決定する画面（相手−＞子機）である。この場合も（ｂ）と同様に、画面内の許可／不可ボタンは、携帯電話に具備されたメニューボタン、または番号ボタンなどと連動して操作可能である。同図（ｅ）は親機接続拒否時の表示画面で、子機または相手機が親機により接続要求を拒否された場合の子機／相手機共通拒否結果表示画面である。この場合、両画面には、例えば図示のように、親機により接続が拒否されたこと、および回線を切断することが表示される。
【００２３】
図４は、本発明に係る携帯端末システムにおいて子機からの発呼要求時の信号の流れの一例を示す図である。まず、ステップＳ１のように、子機１０２から発呼要求があると、この発呼要求は基地局１０４および無線制御局１０５を介して伝達され交換局１０９で処理される。交換局１０９では、ステップＳ２において、発呼要求元の電話番号をもとにグループデータベース１０６内の電話番号テーブル（図２）を検索する。具体的には、発呼要求元の電話番号で、電話番号テーブルの電話番号欄２０１を検索し、親／子フラグ欄２０２の親／子フラグを判定し、発呼要求元が子である場合、親機電話番号欄２０３から親機電話番号を抽出する。発呼要求元が親である場合は、そのまま接続する。
【００２４】
本例では、発呼要求元が子であるので、ステップＳ３において、抽出された親機電話番号に該当する親機に対して転送可否確認電文（メッセージ）を送信する。この際、親機携帯電話は図３（ｂ）の画面表示となり、また子機携帯電話は図３（ａ）の画面表示となる。ステップＳ４において、親機１０１は図３（ｂ）の表示画面で転送許可または不可（否認）が操作され、その結果を交換局１０９が受信する。この際、親機が許可を判定する要素として、電文による表示内容だけでなく、直接発信者と会話してから判断するという方式も容易に適用可能である。
【００２５】
ここで、親機１０１が転送を許可した場合はステップＳ５に移り、不可（否認）とした場合はステップＳ６，Ｓ７に移る。すなわち、親機転送許可時は、ステップＳ５において、交換局１０９が回線網１０７を介して相手機１０３または１０８への接続を行う。これにより、子機と相手機とのコネクションが確立し、会話を行うことが出来る。一方、親機転送否認時は、ステップＳ６において、交換局１０９から子機１０２に対して、転送否認報告電文を送信する。子機１０２は、この否認報告電文を受信すると、図３（ｅ）の画面を表示する。そして、ステップＳ７において、交換局１０９が子機１０２とのコネクションを切断する。なお、全ての親機または特定の親機に接続できない場合は、上述のとおり、図２の通信不可時の設定の欄２０５の指定に従って、子機からの接続要求を許可または拒否する。
【００２６】
図５は、本発明に係る携帯端末システムにおいて子機への着呼要求時の信号の流れの一例を示す図である。まず、ステップＲ１のように、相手機１０３または１０８から子機１０２への着呼要求があると、この着呼要求は回線網１０７を介して伝達され交換局１０９で処理される。交換局１０９では、ステップＲ２において、着呼要求先の電話番号をもとにグループデータベース１０６内の電話番号テーブル（図２）を検索する。具体的には、着呼要求先の電話番号で、電話番号テーブルの電話番号欄２０１を検索し、親／子フラグ欄２０２の親／子フラグを判定し、着呼要求先が子である場合、親機電話番号欄２０３から親機電話番号を抽出する。着呼要求先が親である場合は、そのまま接続する。
【００２７】
本例では、着呼要求先が子であるので、ステップＲ３において、抽出された親機電話番号に該当する親機に対して転送可否確認電文（メッセージ）を送信する。この際、親機携帯電話は図３（ｄ）の画面表示となり、また相手機携帯電話は図３（ｃ）の画面表示となる。ステップＲ４において、親機１０１は図３（ｄ）の表示画面で転送許可または不可（否認）が操作され、その結果を交換局１０９が受信する。この際、親機が許可を判定する要素として、電文による表示内容だけでなく、直接発信者と会話してから判断するという方式も容易に適用可能である。
【００２８】
ここで、親機１０１が転送を許可した場合はステップＲ５に移り、不可（否認）とした場合はステップＲ６，Ｒ７に移る。すなわち、親機転送許可時は、ステップＲ５において、交換局１０９が無線制御局１０５および基地局１０４を介して子機１０２への接続を行う。これにより、子機と相手機とのコネクションが確立し、会話を行うことが出来る。一方、親機転送否認時は、ステップＲ６において、交換局１０９から相手機１０３または１０８に対して、転送否認報告電文を送信する。相手機は、この否認報告電文を受信すると、図３（ｅ）の画面を表示する。そして、ステップＲ７において、交換局１０９が相手機１０３または１０８とのコネクションを切断する。なお、全ての親機または特定の親機に接続できない場合は、上述のとおり、図２の通信不可時の設定の欄２０５の指定に従って、子機への接続要求を許可または拒否する。
【００２９】
このように構成することで、携帯端末による通信を他の携帯端末により好適に抑止することができる。また、接続して問題無いことが明らかな相手に対しては、途中に操作や時間のかかかる処理を挟むことなく自動的に接続することができることが好ましい。これを実現するための携帯端末システムについて次に述べる。
【００３０】
図６は、グループデータベースのテーブル構造の別の例として子機発着信制御テーブルを示す図である。電話番号の欄３０１には、子機の電話番号が格納され、認識パターン３０２には、自動許可あるいは拒否する相手の電話番号あるいは電子メールアドレスを認識する方法を指示する認識パターンが格納され、自動許可あるいは拒否する相手の電話番号あるいは電子メールアドレスは相手先電話番号／電子メールアドレスの欄３０３に格納される。認識パターンとしては、相手先電話番号／電子メールアドレスに関し、例えば固定、先頭文字列、中間文字列、電子メール添付ファイル名、指定外すべて等の選択ができるが、これに限定されない。時間帯の欄３０４には、子機発着信が制御される時間帯が格納される。即ち、指定時間帯は発着信制御の対象とされ、指定時間帯以外は発着信制御の対象外とされる。転送モードの欄３０５には、「−」モード、「許可」モード、「拒否」モードがそれぞれ格納される。「−」モードはデフォルトとされており、親機確認要のモードである。「許可」モードは、親機確認不要で通信が許可される。「拒否」モードは、親機確認不要で通信が不可とされる。これにより、例えば、携帯端末やインターネットに接続されたコンピュータ（パソコン）等から、親機が、その子機に対して、着呼および／または発呼要求を自動的に許可あるいは拒否する相手先を設定しておくができる。
【００３１】
この子機発着信制御テーブルは、電話番号の欄３０１に格納された電話番号でソートするなどして、この電話番号を索引として、特定の子機に対して転送モードの設定されている相手先を容易に抽出可能な構造とされる。本例では、例えば電話番号が１２３−００００−３３３３である子機に対して、時間帯２０：００〜８：００の間、３３３−１１１１−２２２２の電話番号の相手からの受信は「許可」モードとされており自動的に許可するが、電子メールアドレスの先頭文字列が”ｂａｄｓｉｔｅ”で始まるアドレスや、文字列”＠ｂａｄｓｉｔｅ”を含むアドレスからの電子メールの受信は「拒否」モードとされており自動拒否し、ファイル名に”ｂａｄｆｉｌｅ”という文字列を含む添付ファイルが付いた電子メールの受信も「拒否」モードとされており自動拒否する。それら以外の相手先からの電話あるいは電子メールは「−」モード（デフォルト）とされており、許可の確認を親機に問い合わせる。また、電話番号が１２３−００００−３３３４である子機の場合のように、指定外の通信はすべて「拒否」モードとすることもできる。
以下、子機から発呼要求があった場合の親機への転送の確認が要のケースおよび不要のケース、および、子機へ着呼要求があった場合の親機への転送の確認が要のケースおよび不要のケースについて、それぞれ本携帯端末システムの動作を述べる。
【００３２】
図７は、本発明に係る携帯端末システムにおいて子機からの発呼要求時の親機への転送確認要ケースの信号の流れの一例を示す図である。まず、ステップＳ１０１において、子機１０２から発呼要求があると、この発呼要求は基地局１０４および無線制御局１０５を介して伝達され交換局１０９で処理される。交換局１０９では、ステップＳ１０２において、発呼要求元（子機）の電話番号をもとにグループデータベース１０６内の子機発着信制御テーブル（図６）を検索する。そして、ステップＳ１０３において、親機確認条件に合致するかどうかチェックし、図６の転送モードが「−」モード（親機確認要）のとき、ステップＳ１０４において、発呼してきた子機番号から、グループデータベース１０６内の電話番号テーブル（図２）を検索し、同じグループの親機の電話番号を抽出する。ステップＳ１０５において、交換局１０９はこの抽出した電話番号に係る親機１０１へ確認要求を行う。
【００３３】
親機１０１は、この確認電文（メッセージ）を受信し、ステップＳ１０６において、図３（ｂ）の画面で通信許可または不可を入力する。通信許可を入力した場合、親機１０１から交換局１０９に許可入力電文が伝達される。これにより、ステップＳ１０７において、交換局１０９から回線網１０７を介して相手機１０３または１０８への接続処理が行われ、コネクションの確立により子機と相手方との会話が可能となる。一方、親機１０１において通信不可を入力した場合、親機転送否認ケースであり、ステップＳ１１１において、親機１０１から交換局１０９に不可入力電文が伝達され、ステップＳ１１２において、通信不可入力の受信が行われる。これにより、ステップＳ１１３において、交換局１０９から子機１０２への転送否認の報告が行われる。そして、ステップＳ１１４において、子機発着信制御テーブルの更新が行われ、ステップＳ１１５において、コネクションが切断される。
【００３４】
図８は、本発明に係る携帯端末システムにおいて子機からの発呼要求時の親機への転送確認不要ケースの信号の流れの一例を示す図である。まず、ステップＳ２０１において、子機１０２から発呼要求があると、この発呼要求は基地局１０４および無線制御局１０５を介して伝達され交換局１０９で処理される。交換局１０９では、ステップＳ２０２において、発呼要求元（子機）の電話番号をもとにグループデータベース１０６内の子機発着信制御テーブル（図６）を検索する。そして、ステップＳ２０３において、親機確認条件に合致するかどうかチェックし、図６の転送モードが「許可」モード（親機確認不要）のときは、ステップＳ２０４において、自動的に相手機１０３または１０８への接続処理が行われる。一方、図６の転送モードが「拒否」モード（親機確認不要）のときは、ステップＳ２１１において、自動的に子機１０２へ転送否認の報告が行われる。そして、ステップＳ２１２において、子機発着信制御テーブルの更新が行われ、ステップＳ２１３において、コネクションが切断される。
【００３５】
図９は、本発明に係る携帯端末システムにおいて子機への着呼要求時の親機への転送確認要ケースの信号の流れの一例を示す図である。まず、ステップＳ３０１において、相手機１０３または１０８から子機１０２への着呼要求があると、この着呼要求は回線網１０７を介して伝達され交換局１０９で処理される。交換局１０９では、ステップＳ３０２において、着呼要求先（子機）の電話番号をもとにグループデータベース１０６内の子機発着信制御テーブル（図６）を検索する。そして、ステップＳ３０３において、親機確認条件に合致するかどうかチェックし、図６の転送モードが「−」モード（親機確認要）のとき、ステップＳ３０４において、着呼指定された子機番号から、グループデータベース１０６内の電話番号テーブル（図２）を検索し、同じグループの親機の電話番号を抽出する。ステップＳ３０５において、交換局１０９はこの抽出した電話番号に係る親機１０１へ確認要求を行う。
【００３６】
親機１０１は、この確認電文（メッセージ）を受信し、ステップＳ３０６において、図３（ｄ）の画面で通信許可または不可を入力する。通信許可を入力した場合、親機１０１から交換局１０９に許可入力電文が伝達される。これにより、ステップＳ３０７において、交換局１０９から無線制御局１０５および基地局１０４を介して子機１０２への接続処理が行われ、コネクションの確立により子機と相手方との会話が可能となる。一方、親機１０１において通信不可を入力した場合、これは親機転送否認ケースであり、ステップＳ３１１において、親機１０１から交換局１０９に不可入力電文が伝達され、ステップＳ３１２において、通信不可入力の受信が行われる。これにより、ステップＳ１１３において、交換局１０９から相手機１０３または１０８への転送否認の報告が行われる。そして、ステップＳ３１４において、子機発着信制御テーブルの更新が行われ、ステップＳ３１５において、コネクションが切断される。
【００３７】
図１０は、本発明に係る携帯端末システムにおいて子機への着呼要求時の親機への転送確認不要ケースの信号の流れの一例を示す図である。まず、ステップＳ４０１において、相手機１０３または１０８から子機１０２への着呼要求があると、この着呼要求は回線網１０７を介して伝達され交換局１０９で処理される。交換局１０９では、ステップＳ４０２において、着呼要求先（子機）の電話番号をもとにグループデータベース１０６内の子機発着信制御テーブル（図６）を検索する。そして、ステップＳ４０３において、親機確認条件に合致するかどうかチェックし、図６の転送モードが「許可」モード（親機確認不要）のときは、ステップＳ４０４において、自動的に子機１０２への接続処理が行われる。一方、図６の転送モードが「拒否」モード（親機確認不要）のときは、ステップＳ４１１において、自動的に相手機１０３または１０８へ転送否認の報告が行われる。そして、ステップＳ４１２において、子機発着信制御テーブルの更新が行われ、ステップＳ４１３において、コネクションが切断される。
【００３８】
以上の実施形態においては、グループデータベース１０６を交換局１０９に設ける例を示したが、基地局１０４や無線制御局１０５に設けることもできる。このグループデータベース１０６は図示しないコンピュータに接続され、各種データの書き込みや読み出しが行われる。特に、図２または図６に示す各テーブルには、携帯端末やインターネットに接続されたコンピュータ（パソコン）を用いて、電話帳やアドレス帳から抽出したデータを書き込むことができる。このコンピュータには携帯端末制御プログラムが格納されている。この携帯端末制御プログラムは、グループデータベース１０６に基づいて、コンピュータに、子機の着呼または発呼要求時に、自動許可あるいは自動拒否を指定されている相手先か否かを判別し、該当する場合は自動的にコネクションの確立あるいは切断を行う機能、該当しない場合には同じグループ内の親機に対して前記子機の着呼または発呼の許可確認電文（メッセージ）を送信させる機能、および、前記親機からの応答メッセージに従って前記子機と相手機とのコネクションを確立または切断させる機能を実現させるためのものである。この携帯端末制御プログラムは、ネットワークを介して所望のコンピュータにダウンロードすることができ、または、コンピュータ読み取り可能な記録媒体に記録して、必要に応じてコンピュータにインストールすることができる。
【００３９】
このように構成することにより、グループ化された複数の携帯端末の中で、携帯端末の発呼、着呼を他の携帯端末で制限すると共に、接続して問題無いことが明らかな相手に対しては、途中に操作や時間のかかかる処理を挟むことなく自動的に接続することができる。例えば、家族構成員の持つ複数の携帯端末をグループ化した場合、親が親機を持ち、子供が子機を持っている場合、問題の無い相手に対しては親が介入することなく自由に接続でき、確認が必要な相手の場合には子機と相手機との接続を許可するかどうかを、親が任意の時点で判断し、決定することができる。また、特定の相手との接続だけを許すという利用方法も可能になる。
【産業上の利用可能性】
【００４０】
例えば家庭における子供による携帯端末の乱用、あるいは風紀上好ましくない相手へのアクセスを親が抑止することができ、かつ利用上問題が無いことが明らかな相手先とはスムーズに接続できる。また、企業のオフィス等でその構成員の持つ携帯端末をグループ化して管理するために本発明を適用することもできる。更に、特定の相手に対する専用サービス提供の方式として本発明を適用することもできる。
【図面の簡単な説明】
【００４１】
【図１】本発明に係る携帯端末システムの実施形態の一例を示す図である。
【図２】グループデータベースのテーブル構造の一例として電話番号テーブルを示す図である。
【図３】（ａ）〜（ｅ）は携帯電話の表示部における表示例をそれぞれ示す図である。
【図４】本発明に係る携帯端末システムにおいて子機から発信する場合の信号の流れの一例を示す図である。
【図５】本発明に係る携帯端末システムにおいて相手機から子機が受信する場合の信号の流れの一例を示す図である。
【図６】グループデータベースのテーブル構造の別の例として子機発着信制御テーブルを示す図である。
【図７】本発明に係る携帯端末システムにおいて子機からの発呼要求時の親機への転送確認要ケースの信号の流れの一例を示す図である。
【図８】本発明に係る携帯端末システムにおいて子機からの発呼要求時の親機への転送確認不要ケースの信号の流れの一例を示す図である。
【図９】本発明に係る携帯端末システムにおいて子機への着呼要求時の親機への転送確認要ケースの信号の流れの一例を示す図である。
【図１０】本発明に係る携帯端末システムにおいて子機への着呼要求時の親機への転送確認不要ケースの信号の流れの一例を示す図である。
【符号の説明】
【００４２】
１０１  携帯電話（親機）
１０２  携帯電話（子機）
１０３  携帯電話（相手機）
１０４  基地局
１０５  無線制御局
１０６  グループデータベース
１０７  回線網
１０８  加入電話（相手機）
１０９  交換局
２０１  電話番号欄
２０２  親／子フラグ欄
２０３  親機電話番号欄
２０４  グループ名欄
２０５  通信不可時の設定欄
３０１  電話番号欄
３０２  認識パターン欄
３０３  相手先電話番号／電子メールアドレス欄
３０４  時間帯欄
３０５  転送モード欄
【図１】
2004357271.tif 000003
【図２】
2004357271.tif 000004
【図３】
2004357271.tif 000005
【図４】
2004357271.tif 000006
【図５】
2004357271.tif 000007
【図６】
2004357271.tif 000008
【図７】
2004357271.tif 000009
【図８】
2004357271.tif 000010
【図９】
2004357271.tif 000011
【図１０】
2004357271.tif 000012